(57)【要約】【課題】複数種の光源を用いた場合であっても出射光のムラの発生を抑制した照明装置を提供する。【解決手段】レーザー（３）は、導光板（２）の側面に沿って配されており、レーザー光は、ＬＥＤ光源（５）は、導光板の背面側に配されており、ＬＥＤ光源は、レーザー光と同色の光を出射する緑色ＬＥＤ（７Ｇ）を含んでおり、緑色ＬＥＤの配光角は、レーザーの配光角よりも大きい。【選択図】図１
2015201390.tif 000002
【特許請求の範囲】
【請求項１】
導光板と、第１および第２の光源とを備える照明装置であって、
上記第２の光源は、上記導光板の側面に沿って配されており、
上記第２の光源の出射光は、上記導光板の内部を導光され、上記導光板の前面側の光出射面から出射され、
上記第１の光源は、上記導光板の背面側に配されており、
上記第１の光源の出射光は、上記導光板を透過して、上記導光板の上記光出射面から出射され、
上記第１の光源は、上記第２の光源の出射光と同色の光を出射する第１サブ光源を含んでおり、
上記第１サブ光源の配光角は、上記第２の光源の配光角よりも大きいことを特徴とする照明装置。
【請求項２】
複数の上記第２の光源を備えており、
上記第１の光源は、それぞれが異なる色の光を出射する複数のサブ光源を備えており、
上記サブ光源は、上記第１サブ光源を含んでおり、
上記サブ光源は、複数の列を成して配されており、
各列の上記サブ光源は、上記第２の光源の配置箇所に対応して配されていることを特徴とする請求項１に記載の照明装置。
【請求項３】
上記光出射面における複数の領域から出射される出射光を検知するセンサーを備えており、
上記センサーによって検知された各上記領域における出射光の特性に応じて、平面視において当該領域に重なる部分の上記サブ光源の出射光の特性が調整されることを特徴とする請求項２に記載の照明装置。
【請求項４】
上記センサーは、各上記領域における出射光の輝度を検知し、
上記センサーによって検知された各上記領域における出射光の輝度に応じて、平面視において当該領域に重なる部分の上記第１サブ光源の出射光の輝度が調整されることを特徴とする請求項３に記載の照明装置。
【請求項５】
上記センサーは、各上記領域における出射光の波長を検知し、
上記センサーによって検知された各上記領域における出射光の波長に応じて、平面視において当該領域に重なる部分の各上記サブ光源の出射光の輝度が調整されることを特徴とする請求項３に記載の照明装置。
【請求項６】
上記導光板の側面と上記第２の光源の間には、上記第２の光源の出射光を拡散させるための拡散部が設けられていることを特徴とする請求項１〜５の何れか１項に記載の照明装置。
【請求項７】
上記導光板と上記第１の光源との間には、上記第１の光源の出射光を拡散し、上記導光板の背面側に出射される上記第２の光源の出射光を反射する光学部材が設けられていることを特徴とする請求項１〜６の何れか１項に記載の照明装置。
【請求項８】
上記第２の光源は、レーザーであることを特徴とする請求項１〜７の何れか１項に記載の照明装置。
【請求項９】
液晶パネルとバックライトとを備えており、
上記バックライトとして、請求項１〜８の何れか１項に記載の照明装置を備えていることを特徴とする液晶表示装置。
【発明の詳細な説明】
【技術分野】
【０００１】
本発明は、照明装置及び液晶表示装置に関する。
【背景技術】
【０００２】
液晶表示装置は、液晶パネルと、液晶パネルに光を照射する照明装置であるバックライトとを備えている。液晶表示装置のバックライトとして、２種類の光源を備えたエッジ型のバックライトが知られている。
【０００３】
図６は、従来のバックライト２１０の構成を示す斜視図である。バックライト２１０は、導光板２０２と、光源としてのシアンＬＥＤ光源２０７及び赤色レーザー２０３とを備えている。シアンＬＥＤ光源２０７及び赤色レーザー２０３は、それぞれ、導光板２０２の互いに対向する側面に沿って設けられている。シアンＬＥＤ光源２０７の出射光と赤色レーザー光とが導光板２０２に入光し、導光板２０２の光出射面から白色光を出射することによって、バックライト２１０は面光源として機能する。
【０００４】
ここで、レーザー光のスペクトル幅はＬＥＤ光源の出射光のスペクトル幅よりも狭い。そのため、バックライト２１０のように、赤色レーザーを光源の一部として用いることによって、ＬＥＤ光源のみによって白色光を出射する場合に比べて色再現範囲を拡大することができる。
【０００５】
また、特許文献１には、２種類の光源を用いたハイブリッドバックライト装置が記載されている。特許文献１のハイブリッドバックライト装置は、白色光を出射するランプと、赤色レーザー光を出射するレーザーとを備えており、上記白色光および上記赤色レーザー光を導光板の内部で混合し、導光板の光出射面から出射する。
【０００６】
特許文献１のハイブリッドバックライト装置によれば、ランプのみによって白色光を出射する場合に比べて色再現範囲を拡大することができる。さらに、特許文献１には、ランプに加えてレーザーを用いることによって、出射光の色温度を調節して日光の色温度に近づけることができる旨が記載されている。
【０００７】
上記のように、バックライトの光源として複数種の光源を用いることによって、色再現範囲を拡大したり、色温度を調節したりするなど、出射光の特性の自由度を高めることができる。
【先行技術文献】
【特許文献】
【０００８】
【特許文献１】特開２００６−３１３７４７号公報（２００６年１１月１６日公開）
【発明の概要】
【発明が解決しようとする課題】
【０００９】
しかしながら、配光特性が異なる複数の光源からの光を同一の導光板に入光させ、導光板の光出射面から均一な光を出射させることは困難であり、出射光にムラが生じてしまう。
【００１０】
図６に示すバックライト２１０において、赤色レーザー２０３とシアンＬＥＤ光源２０７とは、配光特性が互いに異なる。具体的には、赤色レーザー光は直進性が高いが、シアンＬＥＤ光源２０７の出射光は広角に拡散する。
【００１１】
そのため、赤色レーザー光とシアンＬＥＤ光源２０７の出射光とを同一の導光板２０２に入光させるバックライト２１０は、出射光にムラが生じてしまう。
【００１２】
特許文献１のハイブリッドバックライト装置も同様に、配光特性が互いに異なるランプ及びレーザーからの光を同一の導光板に入光させるものであり、出射光にムラが生じてしまう。
【００１３】
そこで、本発明は、上記の課題に鑑みなされたものであって、その目的は、複数種の光源を用いた場合であっても出射光のムラの発生を抑制した照明装置、及び照明装置を備えた液晶表示装置を提供することにある。
【課題を解決するための手段】
【００１４】
上記の課題を解決するために、本発明の一態様に係る照明装置は、導光板と、第１および第２の光源とを備える照明装置であって、上記第２の光源は、上記導光板の側面に沿って配されており、上記第２の光源の出射光は、上記導光板の内部を導光され、上記導光板の前面側の光出射面から出射され、上記第１の光源は、上記導光板の背面側に配されており、上記第１の光源の出射光は、上記導光板を透過して、上記導光板の上記光出射面から出射され、上記第１の光源は、上記第２の光源の出射光と同色の光を出射する第１サブ光源を含んでおり、上記第１サブ光源の配光角は、上記第２の光源の配光角よりも大きいことを特徴とする。
【００１５】
上記の構成によれば、光源として第１および第２の光源を用いるため、色再現範囲を拡大したり、色温度を調節したりするなど、単一の光源を用いた照明装置に比べて出射光の特性の自由度を高めることができる。
【００１６】
また、上記の構成によれば、第２の光源の出射光は、導光板の内部を導光されて光出射面から出射される一方、第１の光源の出射光は上記導光板を透過する。そのため、配光特性が互いに異なる２つの光源を用いた場合に生じ得るムラの発生を抑制することができる。
【００１７】
さらに、第２の光源の出射光と同色の光を出射する第１サブ光源の配光角は、第２の光源の配光角よりも大きい。そのため、第２の光源のみでは出射光の均一性が低くムラが生じる場合であっても、第１サブ光源の出射光によって、上記ムラを低減することができる。
【発明の効果】
【００１８】
本発明の一態様によれば、複数種の光源を用いた場合であっても出射光のムラの発生を抑制した照明装置、及び液晶表示装置を提供することができる。
【図面の簡単な説明】
【００１９】
【図１】実施形態１に係る液晶表示装置の断面図である。
【図２】実施形態１に係るバックライトの平面図である。
【図３】実施形態２に係るバックライトの平面図である。
【図４】実施形態２に係るバックライトを説明するための平面図であり、（ａ）はレーザー光によってムラが生じている状態を示し、（ｂ）は各列のＬＥＤ光の強度を示し、（ｃ）はバックライトの出射光を示す。
【図５】実施形態３に係る液晶表示装置の断面図である。
【図６】従来のバックライトの構成を示す斜視図である。
【図７】配光角を説明するための図である。
【発明を実施するための形態】
【００２０】
〔実施形態１〕
以下、本発明の実施の形態について、図１〜２に基づいて詳細に説明する。以下の説明では、液晶表示装置に用いられるバックライトについて説明するが、本発明の照明装置は、液晶表示装置のバックライトに限定されるものではなく、ムラのない均一な面光源として様々な用途がある。
【００２１】
＜液晶表示装置＞
図１は、本実施形態の液晶表示装置１００を、表示面に垂直な面で切断したときの断面図である。液晶表示装置１００は、液晶パネル２０と、液晶パネル２０の背面側に設けられたバックライト１０（照明装置）とを備えている。
【００２２】
バックライト１０は、液晶パネル２０に向けて光を出射する。液晶パネル２０は、マトリクス状に配列された複数の画素を備えており、各画素の光透過率を制御することによって、画像を表示する。液晶パネル２０の構成は従来と同様であるので、詳細な説明を省略する。
【００２３】
＜バックライト＞
図１に示すように、バックライト１０は、光学シート１と、導光板２と、ＬＥＤ光源５（第１の光源）とを備えており、各構成は、液晶パネル２０側からこの順に設けられている。
【００２４】
図２は、本実施形態のバックライト１０の平面図である。図２に示すように、導光板２の側面に沿って、複数のレーザー３（第２の光源）が設けられている。また、導光板２とレーザー３との間には、拡散部４が設けられている。本実施形態では、レーザー３として、緑色レーザー光を出射する緑色レーザーを用いている。
【００２５】
レーザー３から出射されるレーザー光は、拡散部４によって拡散され、導光板２に入光する。さらに、レーザー光は、導光板２の内部を導光された後、導光板２の前面側の光出射面から出射される。なお、拡散部４は必須の構成ではないが、拡散されて直進性が緩和されたレーザー光を導光板２へ入光させるために、拡散部４を用いることが好ましい。
【００２６】
導光板２は、レーザー光を前面側に出射させるための適切な構造を有している。具体的には、導光板２は、プリズム形状またはレンズ形状を有していてもよいし、レーザー光を散乱させるための構造を有し、または印刷がなされていてもよい。
【００２７】
拡散部４として、例えば、内部に拡散ビーズが混入した拡散板、または内部に気泡が混入した拡散板を用いることができる。さらに、レーザー光が入射する面が散乱面またはプリズム面であってもよい。
【００２８】
ＬＥＤ光源５は、導光板２の背面側に設けられている。ＬＥＤ光源５は、ＬＥＤ基板６と、ＬＥＤ基板６上に配列された赤色ＬＥＤ７Ｒ（サブ光源）と、緑色ＬＥＤ７Ｇ（サブ光源）と、青色ＬＥＤ７Ｂ（サブ光源）とを、それぞれ複数個備えている。
【００２９】
図２に示すように、赤色ＬＥＤ７Ｒと、緑色ＬＥＤ７Ｇと、青色ＬＥＤ７Ｂとが複数の列を成すように配列されている。より好ましくは、平面視において、レーザー３が並ぶ方向に対して垂直な方向に、各レーザー３の配置箇所に対応して、赤色ＬＥＤ７Ｒと、緑色ＬＥＤ７Ｇと、青色ＬＥＤ７Ｂとがこの順で繰り返し配列されている。
【００３０】
ＬＥＤ光源５は、緑色レーザー光の色と同色である緑色光を出射する緑色ＬＥＤ７Ｇを備えている。また、ＬＥＤ光源５（赤色ＬＥＤ７Ｒ、緑色ＬＥＤ７Ｇ、および青色ＬＥＤ７Ｂ）の配光角は、レーザー３の配光角よりも大きい。
【００３１】
配光角とは、配光曲線において、最大光度となる方向を鉛直方向（０°）とした場合、鉛直方向と、最大光度の１/２に等しい光度となる方向とが成す角度を言うものとする。
【００３２】
配光角について、具体例を挙げて説明する。図７は、配光角を説明するための図であり、ｃｏｓθの配光分布を有する光源Ａの配光曲線である。図中、縦軸は相対強度（光度）であり、横軸は角度である。光源Ａは、鉛直方向（０°）において最大光度（１００）を示し、６０°の方向において最大光度の１／２の光度（５０）を示す。配光角は、鉛直方向と、最大光度の１/２に等しい光度となる方向とが成す角度であるから、光源Ａの配光角は６０°となる。
【００３３】
ＬＥＤ光源５の出射光は、導光板２を透過して導光板２の光出射面から出射される。
【００３４】
このように、バックライト１０は、導光板２を用いてレーザー光を面状に出射するエッジ型と、ＬＥＤ光源５からの光を導光板２によって導光することなく液晶パネル２０側へ出射する直下型とを組み合わせたバックライトである。
【００３５】
本実施形態では、レーザー３として緑色レーザーを用いている。これにより、緑色の色再現範囲を拡大することができる。また、例えば緑色ＬＥＤ等の他の光源の出射光のスペクトル幅と比べて、緑色レーザー光のスペクトル幅は極めて狭い。そのため、ＲＧＢのカラーフィルターを備える液晶表示装置にバックライト１０を搭載することによって、緑色光が赤色カラーフィルター及び青色カラーフィルターから漏れ出ることを抑制し、赤及び青の色再現範囲の低下を抑制することができる。その結果、従来のバックライトを用いた場合と比べて、赤色及び青色の色再現範囲も拡大することができる。
【００３６】
レーザー３として緑色レーザーを用いる場合、緑色ＬＥＤ７Ｇ（第１サブ光源）の光量を緑色レーザーの光量よりも小さくし、緑色ＬＥＤ７Ｇを補助用の光源として用いる。
【００３７】
すなわち、バックライト１０では、緑色レーザーと、赤色ＬＥＤ７Ｒと、青色ＬＥＤ７Ｂとを主な光源として用いており、これらの光源からの光によって、白色光を形成する。さらに、バックライト１０では、緑色ＬＥＤ７Ｇを補助用の光源として用いており、緑色ＬＥＤ７Ｇからの光によって、緑色レーザーによって生じるムラ（輝度ムラおよび波長ムラ）を補正する。
【００３８】
なお、本実施形態では、レーザー３として緑色レーザーを用いた構成を例示して説明するが、バックライト１０の構成はこれに限られない。赤色の色再現性を向上させたい場合には赤色レーザーを用いてもよいし、青色の色再現性を向上させたい場合には青色レーザーを用いてもよい。赤色レーザーを用いる場合には、赤色ＬＥＤ７Ｒの光量を赤色レーザーの光量よりも小さくし、青色レーザーを用いる場合には、青色ＬＥＤ７Ｂの光量を青色レーザーの光量よりも小さくする。
【００３９】
＜導光板の出射光＞
蛍光灯等の他の光源の出射光のスペクトル幅に比べて、レーザー光のスペクトル幅は狭い。そのため、バックライトの光源としてレーザー３を用いた場合、レーザー光を、適切に設計されたカラーフィルター（図示せず）を透過させることによって、ＬＥＤ光源または蛍光灯のみを用いた場合に比べて色再現範囲を大幅に拡大することができる。
【００４０】
一方で、レーザー３は一般的に出力が高く、また、レーザー３から出射されるレーザー光の直進性は高い。そのため、光源としてレーザー３を用いたエッジ型バックライトでは、レーザー光を十分均一に拡散して出射することができない。さらに、レーザーは個体バラつきが大きく、出射されるレーザー光のピーク波長および強度には個体間のバラつきがある。そのため、光源として複数のレーザーを用いたエッジ型バックライトは、面内ムラ（光量バラつき、波長バラつきなど）が発生し、面内で十分な均一性を有する面光源とすることができない。
【００４１】
これに対して、本実施形態のバックライト１０は、導光板２の背面側に、レーザー３の配光角よりも大きい配光角を有する緑色ＬＥＤ７Ｇが設けられている。
【００４２】
そのため、緑色レーザー光のムラを緑色ＬＥＤ７Ｇの出射光によって軽減し、導光板２の出射光の均一性を高めることができる。
【００４３】
なお、緑色レーザーのレーザー光の光量に対して、緑色ＬＥＤ７Ｇの出射光の光量は小さいため、緑色ＬＥＤ７Ｇを用いることによる緑色光の色域の低下は限定的である。
【００４４】
また、緑色レーザーのレーザー光の波長と、緑色ＬＥＤ７Ｇの出射光の波長とが一致していることが好ましいが、両者が完全に一致していなくてもよい。人間の眼は、局所的な色の変化には敏感であるが、なだらかな色の変化には鈍感であるため、緑色ＬＥＤ７Ｇの出射光によって緑色レーザー光の面内ムラを視認され難くすることができる。
【００４５】
〔実施形態２〕
本発明の他の実施形態について、図３〜図４に基づいて説明すれば、以下のとおりである。なお、説明の便宜上、前記実施形態にて説明した部材と同じ機能を有する部材については、同じ符号を付記し、その説明を省略する。
【００４６】
図３は、本実施形態のバックライト１１の平面図である。図３に示すように、バックライト１１では、導光板２の側面のうち、レーザー３が設けられている側面に対向する側面に沿って、フォトセンサー８（センサー）が配されている。複数のフォトセンサー８のそれぞれが、各レーザー３に対向するように設けられていることが好ましい。
【００４７】
図４は、バックライト１１を説明するための平面図であり、（ａ）はレーザー光によってムラが生じている状態を示し、（ｂ）は各列のＬＥＤ光の強度を示し、（ｃ）はバックライト１１の出射光を示す。
【００４８】
一般的に、レーザー光の直進性は非常に高い。そのため、図４の（ａ）に示すように、各レーザー３から出射されるレーザー光ごとの強度ムラやピーク波長の違いによって、導光板２の光出射面における出射光に帯状のムラが発生してしまう。
【００４９】
バックライト１１では、フォトセンサー８を有しているため、対向して設けられたレーザー３から出射されるレーザー光の強度および波長を検知することができる。これにより、導光板２の光出射面の各領域における出射光の特性（強度及び波長の特性）を検知することができる。
【００５０】
そして、各フォトセンサー８によって検知された、光出射面の各領域における出射光の輝度及び波長に応じて、平面視において当該領域に重なる部分のＬＥＤ（赤色ＬＥＤ７Ｒ、緑色ＬＥＤ７Ｇ、青色ＬＥＤ７Ｂ）の出力を調整する。各色のＬＥＤの出力は、電流値やＰＷＭ信号を制御することによって調整してもよい。
【００５１】
（輝度補正）
具体的には、図４の（ｂ）に示すように、導光板２の側面に沿って設けられた１１個のレーザー３Ａ〜３Ｋのうち、レーザー３Ａ、レーザー３Ｃ、レーザー３Ｅ、レーザー３Ｇ、レーザー３Ｉ、およびレーザー３Ｋから出射されるレーザー光の輝度が低い場合、平面視においてこれらのレーザーのレーザー光が出射される領域に重なる部分に配されたＬＥＤの輝度を大きくする。
【００５２】
これにより、図４の（ｃ）に示すように、導光板２の光出射面から出射されるレーザー光による帯状の輝度ムラを低減し、出射光の輝度の均一性を高めることができる。
【００５３】
（波長補正）
また、例えば、レーザー３Ａ〜３Ｋのうち、レーザー３Ａ、レーザー３Ｃ、レーザー３Ｅ、レーザー３Ｇ、レーザー３Ｉ、およびレーザー３Ｋから出射されるレーザー光の波長が他のレーザーから出射されるレーザー光よりも低い場合、平面視においてこれらのレーザーのレーザー光が出射される領域に重なる部分に配されたＬＥＤの波長を大きくする。より具体的には、平面視において当該領域に重なる部分に配された、赤色ＬＥＤ７Ｒ、緑色ＬＥＤ７Ｇ、青色ＬＥＤ７Ｂの出力を個別に調節することによって、当該列のＬＥＤ光源５の出射光の波長を調節する。これにより、導光板２の光出射面から出射されるレーザー光による帯状の波長ムラを低減し、出射光の波長の均一性を高めることができる。
【００５４】
なお、本実施形態の説明では、フォトセンサー８が、導光板２の側面のうち、レーザー３が設けられている側面に対向する側面に沿って配されている構成を例に挙げたが、フォトセンサー８の配置箇所はこれに限定されない。導光板２の光出射面の各領域における出射光の特性を検知することができればよく、例えば、導光板２の前面側にフォトセンサー８を設けてもよい。
【００５５】
〔実施形態３〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。
【００５６】
図５は、本実施形態に係る液晶表示装置１０２の断面図である。図５に示すように、液晶表示装置１０２のバックライト１２は、導光板２とＬＥＤ光源５との間に、拡散板９（光学部材）が設けられている。
【００５７】
バックライト１２によれば、導光板２の内部を導光されて導光板２の背面側に出射されるレーザー光を、拡散板９によって反射し、導光板２の前面側に出射させることができる。すなわち、拡散板９は、エッジ型バックライトの反射シートの役割を果たす。これにより、レーザー光を有効に利用することができる。
【００５８】
また、ＬＥＤ光源５の出射光は、拡散板９によって拡散される。すなわち、拡散板９は、直下型バックライトの拡散シートの役割を果たす。これにより、導光板２の前面側に出射される光の均一性をより高めることができる。
【００５９】
〔まとめ〕
本発明の態様１に係る照明装置は、導光板と、第１および第２の光源とを備える照明装置であって、上記第２の光源は、上記導光板の側面に沿って配されており、上記第２の光源の出射光は、上記導光板の内部を導光され、上記導光板の前面側の光出射面から出射され、上記第１の光源は、上記導光板の背面側に配されており、上記第１の光源の出射光は、上記導光板を透過して、上記導光板の上記光出射面から出射され、上記第１の光源は、上記第２の光源の出射光と同色の光を出射する第１サブ光源を含んでおり、上記第１サブ光源の配光角は、上記第２の光源の配光角よりも大きいことを特徴とする。
【００６０】
上記の構成によれば、光源として第１および第２の光源を用いるため、色再現範囲を拡大したり、色温度を調節したりするなど、単一の光源を用いた照明装置に比べて出射光の特性の自由度を高めることができる。
【００６１】
また、上記の構成によれば、第２の光源の出射光は、導光板の内部を導光されて光出射面から出射される一方、第１の光源の出射光は上記導光板を透過する。そのため、配光特性が互いに異なる２つの光源を用いた場合に生じ得るムラの発生を抑制することができる。
【００６２】
さらに、第２の光源の出射光と同色の光を出射する第１サブ光源の配光角は、第２の光源の配光角よりも大きい。そのため、第２の光源のみでは出射光の均一性が低くムラが生じる場合であっても、第１サブ光源の出射光によって、上記ムラを低減することができる。
【００６３】
本発明の態様２に係る照明装置は、上記態様１において、複数の上記第２の光源を備えており、上記第１の光源は、それぞれが異なる色の光を出射する複数のサブ光源を備えており、上記サブ光源は、上記第１サブ光源を含んでおり、上記サブ光源は、複数の列を成して配されており、各列の上記サブ光源は、上記第２の光源の配置箇所に対応して配されている構成であってもよい。
【００６４】
上記の構成によれば、第２の光源の配置箇所に対応してサブ光源が配置されている。そのため、光出射面における出射光に、第２の光源の配置箇所に応じたムラが生じた場合であっても、第１の光源の出射光によって効率的に上記ムラを低減することができる。
【００６５】
本発明の態様３に係る照明装置は、上記態様２において、上記光出射面における複数の領域から出射される出射光を検知するセンサーを備えており、上記センサーによって検知された各上記領域における出射光の特性に応じて、平面視において当該領域に重なる部分の上記サブ光源の出射光の特性が調整される構成であってもよい。
【００６６】
上記の構成によれば、各領域における実際の出射光の特性に応じて、サブ光源の特性を調整することによって、より確実にムラを低減することができる。
【００６７】
そのため、例えば第２の光源が個体バラつきを有しており、光出射面から出射される出射光に、上記個体バラつきに応じたムラが生じる場合であっても、サブ光源の出射光の特性を調整することによって、第２の光源の個体バラつきを補償することができる。これにより、上記ムラを低減することができる。
【００６８】
本発明の態様４に係る照明装置は、上記態様３において、上記センサーは、各上記領域における出射光の輝度を検知し、上記センサーによって検知された各上記領域における出射光の輝度に応じて、平面視において当該領域に重なる部分の上記第１サブ光源の出射光の輝度が調整される構成であってもよい。
【００６９】
上記の構成によれば、各領域における実際の出射光の輝度に応じて、第１サブ光源の輝度を調整することによって、より確実に輝度ムラを低減することができる。
【００７０】
そのため、例えば第２の光源が個体バラつきを有しており、光出射面から出射される出射光に、上記個体バラつきに応じた輝度ムラが生じる場合であっても、サブ光源の輝度を調整することによって、第２の光源の個体バラつきによる輝度ムラを補償することができる。これにより、上記ムラを低減することができる。
【００７１】
本発明の態様５に係る照明装置は、上記態様３において、上記センサーは、各上記領域における出射光の波長を検知し、上記センサーによって検知された各上記領域における出射光の波長に応じて、平面視において当該領域に重なる部分の各上記サブ光源の出射光の輝度が調整される構成であってもよい。
【００７２】
上記の構成によれば、各領域における実際の出射光の波長に応じて、各サブ光源の輝度を調整することによって、第１の光源の出射光の波長を調整することができ、その結果、色ムラを低減することができる。
【００７３】
そのため、例えば第２の光源が個体バラつきを有しており、光出射面から出射される出射光に、上記個体バラつきに応じた色ムラが生じる場合であっても、各サブ光源の輝度を調整することによって、第２の光源の個体バラつきによる色ムラを補償することができる。これにより、上記ムラを低減することができる。
【００７４】
本発明の態様６に係る照明装置は、上記態様１〜５の何れかにおいて、上記導光板の側面と上記第２の光源の間には、上記第２の光源の出射光を拡散させるための拡散部が設けられている構成であってもよい。
【００７５】
上記の構成によれば、第２の光源の出射光は、拡散部によって拡散されてから、導光板に入光する。これにより、第２の光源の出射光の直進性が高い場合であっても、導光板の光出射面から出射される第２の光源の出射光のムラを低減することができる。
【００７６】
本発明の態様７に係る照明装置は、上記態様１〜６の何れかにおいて、上記導光板と上記第１の光源との間には、上記第１の光源の出射光を拡散し、上記導光板の背面側に出射される上記第２の光源の出射光を反射する光学部材が設けられている構成であってもよい。
【００７７】
上記の構成によれば、第２の光源の出射光のうち、導光板の背面側に出射される光を反射し、導光板の前面側に出射することができる。これにより、第２の光源の出射光を有効に利用することができる。また、第１の光源の出射光を拡散することによって、照明装置のムラを低減することができる。
【００７８】
本発明の態様８に係る照明装置は、上記態様１〜７の何れかにおいて、上記第２の光源は、レーザーであってもよい。
【００７９】
上記の構成によれば、レーザーの出射光のスペクトル幅は、ＬＥＤ等の他の光源の出射光のスペクトル幅よりも小さい。そのため、第２の光源としてレーザーを用いることによって、色再現範囲を拡大することができる。
【００８０】
本発明の態様９に係る液晶表示装置は、液晶パネルとバックライトとを備えており、上記バックライトとして、態様１〜８の何れか１項に記載の照明装置を備えていることを特徴とする。
【００８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８２】
本発明は、液晶表示装置に用いるバックライトに利用することができる。
【符号の説明】
【００８３】
２  導光板
３，３Ａ〜３Ｋ  レーザー（第１の光源）
４  拡散部
５  ＬＥＤ光源（第２の光源）
７Ｒ  赤色ＬＥＤ（サブ光源）
７Ｇ  緑色ＬＥＤ（サブ光源，第１サブ光源）
７Ｂ  青色ＬＥＤ（サブ光源）
８  フォトセンサー（センサー）
９  拡散板（光学部材）
１０，１１，１２  バックライト（照明装置）
１００，１０２  液晶表示装置
【図１】
2015201390.tif 000003
【図２】
2015201390.tif 000004
【図３】
2015201390.tif 000005
【図４】
2015201390.tif 000006
【図５】
2015201390.tif 000007
【図６】
2015201390.tif 000008
【図７】
2015201390.tif 000009